(57)【要約】【課題】      ゴルフ場で提供されるこの合成樹脂製のゴルフマーカーを、従来からある磁石付きのゴルフマーカーと同様にプレーヤーが帽子等に挟み込むことができ、従来からある磁石付きのゴルフマーカーと同等にプレーの邪魔にならない程度に強固に付着して使用することができる。【解決手段】  合成樹脂製のクリップ１００であって、帽子等への固定部１１０とゴルフマーカーに対する止定部１２０を備えたゴルフマーカーのクリップ１００であり。  前記固定部１１０が、前記止定部１２０の水平面部１２１の背面においてこれに連続する折り曲がり部１１１から前記水平面部１２１に近づくクリップ部１１２を備えており、  前記止定部１１０が、前記水平面部１２１に対して立ち上がった複数の突片１２２からなり、その突片１２２１と突片１２２２の間に合成樹脂製のゴルフマーカー２００を止定する。【選択図】  図１
2011055899.tif 000002
【特許請求の範囲】
【請求項１】
合成樹脂製のクリップであって、帽子等への固定部とゴルフマーカーに対する止定部を備えたゴルフマーカーのクリップ。
【請求項２】
前記固定部が、前記止定部の水平面部の背面においてこれに連続する折り曲がり部から前記水平面部に近づくクリップ部を備えており、
前記止定部が、前記止定部の水平面部の前面において前記水平面部から立ち上がった複数の突片又は突部からなり、その突片又は突部の間に合成樹脂製のゴルフマーカーを止定する請求項１項記載のゴルフマーカーのクリップ。
【請求項３】
前記突片と前記突片との間の垂直方向の空間はゴルフマーカーの水平面部が止定できる空間である請求項２記載のゴルフマーカーのクリップ。
【請求項４】
前記突部のうち４つの突部の間の垂直方向の空間はゴルフマーカーの基軸部か止定できる空間である請求項２記載のゴルフマーカーのクリップ。
【請求項５】
前記固定部が、前記止定部の水平面部の背面においてこれに連続する折り曲がり部から前記水平面部に近づくクリップ部を備え、
前記止定部が、前記水平面部と、前記水平面部の前面部に対してその根元部から前記水平面部と平行に途中まで伸びて先端縁が開放されている保持部からなり、前記水平面部と保持部の間は合成樹脂製のゴルフマーカーの水平面部を止定可能であり、当該ゴルフマーカーの基軸部は前記止定部から立ち上がって保持部上に止定されている請求項１項記載のゴルフマーカーのクリップ。
【請求項６】
前記固定部が、前記止定部の水平面部の背面においてこれに連続する折り曲がり部から前記水平面部に近づくクリップ部を備え、
前記止定部が、前記水平面部と、前記水平面部の前面部に対してその反対の根元部から前記水平面部と平行に途中まで伸びて先端縁が開放されている保持部からなり、前記水平面部と保持部の間は合成樹脂製のゴルフマーカーの水平面部を止定可能であり、当該ゴルフマーカーの基軸部は前記止定部から立ち上がって保持部上に止定されている請求項１項記載のゴルフマーカーのクリップ。
【請求項７】
前記固定部が、前記止定部の水平面部の背面においてこれに連続する折り曲がり部から前記水平面部に近づくクリップ部を備えており、
前記止定部が、前記止定部の水平面部の前面において前記水平面部から立ち上がった複数の穴を持つ穴開き部からなり、その穴開き部の穴に合成樹脂製のゴルフマーカーを止定する請求項１項記載のゴルフマーカーのクリップ。
【発明の詳細な説明】
【技術分野】
【０００１】
本発明はグリーンでゴルフボールの位置を特定するために用いるゴルフマーカーを帽子等につけておくために使用するクリップに関するものである。
【背景技術】
【０００２】
従来からこのゴルフマーカーは表面に模様があり裏面に磁石が付けられていて、帽子の縁に挟みこまれた鉄製のクリップの表面に取り付けて用いられている（特許文献１）。
【先行技術文献】
【特許文献】
【０００３】
【特許文献１】特開２００６−１８７３５４
【発明の概要】
【発明が解決しようとする課題】
【０００４】
しかし元来ゴルフマーカーは合成樹脂でできていて表面に当該ゴルフ場のマーキングが施されている。
従って、ゴルフ場で提供されるこの合成樹脂製のゴルフマーカーを、従来からある磁石付きのゴルフマーカーと同様にプレーヤーが帽子等に挟み込むこことができ、従来からある磁石付きのゴルフマーカーと同等にプレーの邪魔にならない程度に強固に付着して使用することができれば、きわめて便利である。
【課題を解決するための手段】
【０００５】
前記課題を解決するため、下記の構成を採用した。
１．合成樹脂製のクリップであって、帽子等への固定部とゴルフマーカーに対する止定部を備えたゴルフマーカーのクリップ。
２．前記固定部が、前記止定部の水平面部の背面においてこれに連続する折り曲がり部から前記水平面部に近づくクリップ部を備えており、
前記止定部が、前記水平面部に対して立ち上がった複数の突片又は突部からなり、その突片又は突部の間に合成樹脂製のゴルフマーカーを止定する請求項１項記載のゴルフマーカーのクリップ。
３．前記突片と前記突片との間の垂直方向の空間はゴルフマーカーの水平面部が止定できる空間である請求項２記載のゴルフマーカーのクリップ。
４．前記突部のうち４つの突部の間の垂直方向の空間はゴルフマーカーの基軸部か止定できる空間である請求項２記載のゴルフマーカーのクリップ。
５．前記固定部が、前記止定部の水平面部の背面においてこれに連続する折り曲がり部から前記水平面部に近づくクリップ部を備え、
前記止定部が、前記水平面部と前記水平面部に対してその根元部から前記水平面部と平行に途中まで伸びて先端縁が開放されている保持部からなり、前記水平面部と保持部の間は合成樹脂製のゴルフマーカーの水平面部を止定可能であり、当該ゴルフマーカーの基軸部は前記止定部から立ち上がって保持部上に止定されている請求項１項記載のゴルフマーカーのクリップ。
６．前記固定部が、前記止定部の水平面部の背面においてこれに連続する折り曲がり部から前記水平面部に近づくクリップ部を備え、
前記止定部が、前記水平面部と、前記水平面部の前面部に対してその反対の根元部から前記水平面部と平行に途中まで伸びて先端縁が開放されている保持部からなり、前記水平面部と保持部の間は合成樹脂製のゴルフマーカーの水平面部を止定可能であり、当該ゴルフマーカーの基軸部は前記止定部から立ち上がって保持部上に止定されている請求項１項記載のゴルフマーカーのクリップ。
７．前記固定部が、前記止定部の水平面部の背面においてこれに連続する折り曲がり部から前記水平面部に近づくクリップ部を備えており、
前記止定部が、前記止定部の水平面部の前面において前記水平面部から立ち上がった複数の穴を持つ穴開き部からなり、その穴開き部の穴に合成樹脂製のゴルフマーカーを止定する請求項１項記載のゴルフマーカーのクリップ。
【発明の効果】
【０００６】
従って、クリップ自体を合成樹脂製で構成したため、ゴルフ場で提供されるこの合成樹脂製のゴルフマーカーを、従来からある磁石付きのゴルフマーカーと同様にプレーヤーが帽子等に挟み込むことができ、従来からある磁石付きのゴルフマーカーと同等にプレーの邪魔にならない程度に強固に付着して使用することができ、きわめて便利である。
【図面の簡単な説明】
【０００７】
【図１】本発明に係るゴルフマーカーの合成樹脂製クリップの一実施形態を示す正面図である。
【図２】同左側面図である。
【図３】同裏面図である。
【図４】本発明に係るゴルフマーカーの合成樹脂製クリップの他実施形態を示す正面図である。
【図５】同左側面図である。
【図６】さらに本発明に係るゴルフマーカーの合成樹脂製クリップの他の実施形態を示す正面図である。
【図７】同左側面図である。
【図８】本発明に係るゴルフマーカーの合成樹脂製クリップのさらに他の実施形態を示す正面図である。
【図９】同左側面図である。
【図１０】本発明に係るゴルフマーカーの合成樹脂製クリップのその他の実施形態を示す正面図である。
【図１１】同左側面図である。
【発明を実施するための形態】
【０００８】
図１〜図３において、１００は合成樹脂製のクリップである。図３において、２００はゴルフ場で提供される既設の合成樹脂からなるゴルフマーカーである。このゴルフマーカーの合成樹脂製クリップ１００は、図１〜図３に示す様に、帽子等への固定部１１０とゴルフマーカーに対する止定部１２０を備えている。
【０００９】
前記固定部１１０は、前記止定部１２０の水平面部１２１の背面においてこれに連続する折り曲がり部１１１から前記水平面部１２１に近づくクリップ部１１２を備えている。
【００１０】
前記止定部１２０は、前記水平面部１２１の前面において前記水平面部１２１に対して垂直方向に立ち上がり互いに平行に壁面を構成する複数の突片１２２からなっている。この実施形態では当該突片１２２１とこれに隣接する突片１２２２との間に、図３に示す様に、合成樹脂製のゴルフマーカー２００の水平面部２０１が止定できるようになっている。この実施形態では複数の突片１２２は正面において上側縁部１２３がつながっており、そこから突片１２２の開放端１２４に行くまで正面において各突片１２２が集合した櫛状部１２５、１２５が両側に配置されている。
【００１１】
従って、図３に示す様に、櫛状部１２５を構成する複数の突片１２２のうち任意の突片１２２１と突片１２２２との間に合成樹脂製のゴルフマーカー２００の水平面部２０１を止定すればよい。特に、本実施形態は、図３に示す様に、互いに平行に壁面を構成している複数の突片１２２がその壁面においてやや傾斜しており、互いに逆のテーパー面を有している。一方、合成樹脂製のゴルフマーカー２００の水平面部２０１も表面は水平面であるが、裏面はテーパー面を有しており、突片１２２の壁面のテーパー面Ａと合成樹脂製のゴルフマーカー２００の水平面部２０１のテーパー面Ｂが逆になっている。従って、止定部１２０の突片１２２の壁面に対して合成樹脂製のゴルフマーカー２００の水平面部２０１が確実に止定するものである。また従来からある磁石付きのゴルフマーカーと同等にプレーの邪魔にならない程度に強固に付着して使用することができる。
【００１２】
また３００は図４及び図５に示す様に他の合成樹脂製のクリップである。図４及び図５に示す様に、この合成樹脂製のクリップの固定部３１０は、前記固定部１１０と同じであり、前記止定部３２０の水平面部３２１の背面においてこれに連続する折り曲がり部３１１から前記水平面部３２１に近づくクリップ部３１２を備えている。
一方、前記止定部３２０は、前記水平面部３２１の前面において前記水平面部３２１に対して垂直方向に立ち上がる多数の突部３２２からなっている。そのうち任意の隣接する４つの突部３２２１、３２２２、３２２３、３２２４の間に、合成樹脂製のゴルフマーカー２００の基軸部２０２が挟まって止定されるものである。なお、止定は隣接する４つの突部３２２１、３２２２、３２２３、３２２４がそれぞれテーパーを形成しているため確実である。また従来からある磁石付きのゴルフマーカーと同等にプレーの邪魔にならない程度に強固に付着して使用することができる。
【００１３】
また４００は図６及び図７に示す様にさらに他の合成樹脂製のクリップである。図６及び図７に示す様に、この合成樹脂製のクリップの固定部４１０は、前記固定部１１０と同じであり、前記止定部４２０の水平面部４２１の背面においてこれに連続する折り曲がり部４１１から前記水平面部４２１に近づくクリップ部４１２を備えている。
一方、前記止定部４２０は、前記水平面部４２１と、前記水平面部４２１の前面部４２２に対してその根元部４２３から前記水平面部４２１と平行に途中まで伸びて先端縁４２４が開放されている保持部４２５からなっている。従って、このクリップ４００は、前記水平面部４２１と保持部４２５の間に合成樹脂製のゴルフマーカー２００の水平面部２０１を止定可能である。また当該ゴルフマーカー２００の基軸部２０２は前記水平面部２０１から立ち上がって保持部４２５上に止定されている。なお、この止定は前記水平面部４２１と保持部４２５の間で行われるため確実である。また従来からある磁石付きのゴルフマーカーと同等にプレーの邪魔にならない程度に強固に付着して使用することができる。
【００１４】
また５００は図８及び図９に示す様にさらに他の合成樹脂製のクリップである。図８及び図９に示す様に、この合成樹脂製のクリップの固定部５１０は、前記固定部１１０と同じであり、前記止定部５２０の水平面部５２１の背面においてこれに連続する折り曲がり部５１１から前記水平面部５２１に近づくクリップ部５１２を備えている。
一方、前記止定部５２０は、前記水平面部５２１と、前記水平面部５２１の前面部５２２に対してその反対の根元部５２３から前記水平面部５２１と平行に途中まで前記と反対に伸びて先端縁５２４が開放されている保持部５２５からなっている。従って、このクリップ５００は、前記水平面部５２１と保持部５２５の間に合成樹脂製のゴルフマーカー２００の水平面部２０１を止定可能である。また当該ゴルフマーカー２００の基軸部２０２は前記水平面部２０１から立ち上がって保持部５２５上に止定されている。なお、この止定は前記水平面部５２１と保持部５２５の間で行われるため確実である。また従来からある磁石付きのゴルフマーカーと同等にプレーの邪魔にならない程度に強固に付着して使用することができる。
【００１５】
また６００は、図１０及び図１１に示す様にさらに他の合成樹脂製のクリップである。図１０及び図１１に示す様に、この合成樹脂製のクリップの固定部６１０は、前記固定部１１０と同じであり、前記止定部６２０の水平面部６２１の背面においてこれに連続する折り曲がり部６１１から前記水平面部６２１に近づくクリップ部６１２を備えている。
一方、前記止定部６２０は、前記止定部６２０の水平面部６２１の前面において前記水平面部６２１から立ち上がった複数の穴６２２を持つ穴開き部６２３からなり、その穴開き部６２３の穴６２２に合成樹脂製のゴルフマーカーを止定されている。従って、この止定は前記穴開き部６２３の穴６２２に直接、合成樹脂製のゴルフマーカー２００の基軸部２０２を直接嵌入するため確実である。また従来からある磁石付きのゴルフマーカーと同等にプレーの邪魔にならない程度に強固に付着して使用することができる。
特に、本実施形態は、図１１に示す様に、複数の穴６２２がその内壁面６２２１において開口部にむけて広がる方向にやや傾斜しテーパーＣを形成している。一方、合成樹脂製のゴルフマーカー２００の基軸部２０２も開放端部にむかって径が小さくなるようなテーパーＤを有している。従って、このゴルフマーカー２００の基軸部２０２を当該穴開き部６２３の穴６２２に差し込めば、確実に止定される。
【００１６】
因って、本発明のクリップ１００、３００、４００、５００、６００は合成樹脂の成形体からなり、ゴルフ場で提供されるこの合成樹脂製のゴルフマーカーを、従来からある磁石付きのゴルフマーカーと同様に、プレーヤーが帽子等に挟み込むこんで使用することができるとともに、従来からある磁石付きのゴルフマーカーと同等にプレーの邪魔にならない程度に強固に付着して使用することができ、きわめて便利である。
【産業上の利用可能性】
【００１７】
本発明のクリップは、ゴルフ場で提供されるこの合成樹脂製のゴルフマーカーを任意に止定することができる合成樹脂製のクリップとして好適に利用可能である。
【符号の説明】
【００１８】
１００          クリップ
１１０          固定部
１２０          止定部
１２１          水平面部
１２２          突片
３００          クリップ
３１０          固定部
３２０          止定部
３２１          水平面部
３２２          突部
４００          クリップ
４１０          固定部
４２０          止定部
４２１          水平面部
４２５          保持部
５００          クリップ
５１０          固定部
５２０          止定部
５２１          水平面部
５２５          保持部
６００          クリップ
６１０          固定部
６２０          止定部
６２１          水平面部
６２２          穴
６２３          穴開き部
【図１】
2011055899.tif 000003
【図２】
2011055899.tif 000004
【図３】
2011055899.tif 000005
【図４】
2011055899.tif 000006
【図５】
2011055899.tif 000007
【図６】
2011055899.tif 000008
【図７】
2011055899.tif 000009
【図８】
2011055899.tif 000010
【図９】
2011055899.tif 000011
【図１０】
2011055899.tif 000012
【図１１】
2011055899.tif 000013